Podtech/llm-jp-corpus-v4-ja_patent huggingface dataset:
(57)【要約】      （修正有）【課題】大きな跳躍が出来、前に前進する力も大きくなり、安全な歩行が出来るスプリング歩行器を提供する。【解決手段】固定アルミ板２の上に、足を固定するための足止めバンド１を設け、固定アルミ板２の下にスプリング板６を固定し取り付けるとともに、スプリング板６の後部部分にコイルスプリング８を上下動出来るボルト９に取り付け、さらに、固定スプリング板６の底にゴム板７を取り付けて構成し、ゴムタイヤ４はボルト１０とナット５を取り外すことが出来るようにした。【選択図】図１
0003149017.tif 000002
【実用新案登録請求の範囲】
固定アルミ板２の上に、足を固定するための足止めバンド１を設け、固定アルミ板２の下にスプリング板６を固定し取り付ける。スプリング板６の後部部分にコイルスプリング８を上下動出来るボルト１０に取り付け、さらに、固定スプリング板６の底にゴム板７を取り付ける。
ゴムタイヤ４はボルト１０とナット５を取り外すことが出来るようにしたスプリング歩行器。
【考案の詳細な説明】
【考案の詳細な説明】
【０００１】産業上の利用分野
この考案はスプリング板６の後部にコイルスプリング８を設けた歩行や、走行に関するものである。
【背景技術】
【０００２】従来、従形の棒を曲げたスプリング歩行器具はあった。
【考案が解決しようとする問題】
【０００３】これは次のような欠点があった。
（イ）歩くのに、安定するのが難かしかった。
（ロ）跳躍しながら、安定して前に歩くように進む歩行器具はなかった。
本考案はこれらの欠点を除くためになされたものである。
【問題を解決するための手段】
【０００４】靴を固定するためのかかと入れと足止めバンド１を、固定アルミ板２の上に設け、固定アルミ板２を（形のスプリング板６に、ボルトで取り付ける。
足に力を入れて、踏んだ時に、さらに、反復する力を大きくするために上下動出来るスプリングボルト９にコイルスプリング８を取り付ける。
接地面はスプリング板６が金属のため、滑らないようにゴムを設ける。
スプリング板６とコイルスプリング８の収縮力で前に進めることが出来る。
またボルト１０で取り外しの出来るタイヤ４を設ける。以上のような構成からなるスプリング歩行器である。
【作用】
【０００５】Ｃ形のスプリング板６とコイルスプリング８が付いているために、踏んだ時の反動の力が大きく前に出ようとする力も大きい。
【実施例】
【０００６】以下従来の実施例について説明する。
（イ）固定アルミ板２の上に靴、足を固定するために、かかと入れ３と足止めバンド１を取り付ける。
（ロ）固定アルミ板２の下にＣ形のスプリング板６を設け、固定アルミ板２にボルト１０で固定する。
（ハ）ボルト１０が上下動出来るように、Ｃ形のスプリング板６の上の後部にボルト１０より大きめの穴をあける。ボルト１０の外側にコイルスプリング８を巻き付ける。
（ニ）Ｃ形のスプリングは金属なので滑らないように、ゴム板７をＣ形のスプリング板６の下に取り付ける。足を踏み込んだ時、Ｃ形のスプリング板６により前に出ようとする力が加わる。コイルスプリング８のバネの力により大きな跳躍が出来、前に出ようとする力が大きくなる。これだけでも、早く前に大きく前進することが出来る。ゴムタイヤ４を、ボルト１０に取付け固定するとタイヤがＣ形のスプリング板６とコイルスプリング８の収縮力が前進の力となり走ることも出来る。
【考案の効果】
【０００７】ゴムタイヤ４の取付、取り外しが自由に出来るために、走りと歩行のどちらも出来、スプリング効果が、Ｃ形のスプリング板６に、コイルスプリング８の力が加わるので、より大きな跳躍、前進が出来る。横幅もあり安全である。
【図面の簡単な説明】
【図１】本考案の実施例を示す斜視図である。
【図２】本考案の一部を縦に切り欠いた図面である。
【図３】本考案の一部を横に切り欠いた図面である。
【符号の説明】
１、足止めバンド        ２、固定アルミ板        ３、かかと入れ
４、ゴムタイヤ          ５、ナット              ６、スプリング板
７、ゴム板              ８、コイルスプリング
９、スプリングボルト  １０、ボルト
【図１】
0003149017.tif 000003
【図２】
0003149017.tif 000004
【図３】
0003149017.tif 000005
【手続補正書】
【提出日】平成20年12月11日(2008.12.11)
【手続補正１】
【補正対象書類名】実用新案登録請求の範囲
【補正対象項目名】全文
【補正方法】変更
【補正の内容】
【実用新案登録請求の範囲】
【請求項１】
固定アルミ板２の上に、足を固定するための足止めバンド１を設け、固定アルミ板２の下にスプリング板６を固定し取り付けるとともに、スプリング板６の後部部分にコイルスプリング８を上下動出来るボルト１０に取り付け、さらに、固定スプリング板６の底にゴム板７を取り付けて構成し、ゴムタイヤ４はボルト１０とナット５を取り外すことが出来るようにしたスプリング歩行器。
(57)【要約】      （修正有）【課題】友鮎と野鮎の水中での強烈な針掛りに対して、ハリス糸の強度を最大の摩擦と絡みによって、切れたりズレたりを大はばに改良したハリス止めを提供する。【解決手段】魚釣りの中の鮎釣りの漁具（しかけ）で、友釣りでは友鮎の尾ビレにハリス止めの付いた逆針に、３本又は４本錨針を付けて野鮎の追いを利用して、針がかりさせて鮎を釣るのであるが、その逆針のついたハリス止めについて、従来のワンタッチのハリス止めは、ハリスの糸を隙間の狭くした方に糸を絞って止める方法であるが、今回の考案した物は細い針金を螺旋状に作り尚且つ極小バネを捻り伸ばした形であることを特徴とするハリス止めである。【選択図】図１
0003149014.tif 000002
【実用新案登録請求の範囲】
【請求項１】
魚釣りの中の鮎つりの漁具（しかけ）の考案で、友釣りでは友鮎の尾ビレにス止めの付いた逆針に、３本又は４本錨針を付けて野鮎の追いを利用して、針がかりさせて鮎を釣るのであるが、その逆針の付いたハリス止めの考案で、従来のワンタッチのハリス止めは、ハリスの糸を隙間の狭くした方に糸を絞って止める方法であるが、今回の考案した物は細いハガネ腺を螺旋状に作り尚且つ極小バネを捻じり伸ばした形の考案で、その螺旋の空間にハリスの糸を上からグルグル巻き付けうめ、摩擦面積を最大限に利用して糸を止め固める物である。得てして大鮎ともなると、強烈に追いかますゆえ従来のワンッタチのハリス止めではハリスの糸が引かれるにつれ平たく変形して、一瞬の強烈な引きに糸切れおこし鮎竿に感じる間もなく切れてしまうのである。本考案品は最大の摩擦があるので引けば引くほど絡みつく。
【請求項２】
着け外しも巻きと、戻しの２通りで簡単である。逆針の下部の突起にハリスの糸を引っ掛けて２本に束ねて上から螺旋にグルグル巻きつけ下部までうめ尽くせばいい。細い糸なら２本巻き太い糸なら逆針の上部の重なった隙間に引っ掛けて１本で螺旋に巻きうめて完了である。
【請求項３】
螺旋状にしたハリス止めの最交尾の切り口は面を取ったような丸みとする。
【考案の詳細な説明】
【技術分野】
【０００１】本考案は、友釣りにおける野鮎の強い当たりに対して、ハリス止めを螺旋状に改良して最大の摩擦と絡みを利用して、ハリス本来の強さを保持するものである。
【背景分野】
【０００２】従来のハリス止めには見られない強い強烈な引きにも耐えうる。
【考案の開示】
【考案が解決しようとする課題】
【０００３】水中での友鮎との野鮎の強烈な当たりにハリスの糸切れをなくす為に改良した物である。
【課題を解決する為の手段】
【０００４】本来のハリスの強さを損なわせぬように、強い引きに対してハリスの変形、欠損を無くすべく螺旋状にした所に、１重もしくは２重にして巻き込んで最大の摩擦を利用して糸滑りを無くした物である。
【考案の効果】
【０００５】予想以上の大鮎に対しても、逆針のふところの重なった隙間に糸を掛けて、１重に螺旋に巻き込むだけで強い引きにも安心しで、なお用心する場合いは、螺旋の上の引っかかりに糸を掛け２重に糸を束ねて螺旋に巻き込むだけで、安心でき、取り外しは元に戻すだけで、とり外しも簡単です
【実施例】
【０００６】
【図面の簡単な説明】
【０００７】
【図１】本考案の拡大全体図
【図２】本考案のハリス施工状態の図
【符号の説明】
【０００８】１  逆針
２  ハリス止め
３  ハリス
【図１】
0003149014.tif 000003
【図２】
0003149014.tif 000004
【手続補正書】
【提出日】平成20年12月3日(2008.12.3)
【手続補正１】
【補正対象書類名】実用新案登録請求の範囲
【補正対象項目名】全文
【補正方法】変更
【補正の内容】
【実用新案登録請求の範囲】
【請求項１】
魚釣りの中の鮎釣りの漁具（しかけ）の考案で、友釣りでは友鮎の尾ビレにハリス止めの付いた逆針に、３本又は４本錨針を付けて野鮎の追いを利用して、針がかりさせて鮎を釣るのであるが、その逆針のついたハリス止めの考案で、従来のワンタッチのハリス止めは、ハリスの糸を隙間の狭くした方に糸を絞って止める方法であるが、今回の考案した物は細い針金を螺旋状に作り尚且つ極小バネを捻り伸ばした形のハリス止め。
(57)【要約】      （修正有）【課題】飲料に適合した安定した水質（水道法水質基準全５１項目をクリア）の水を供給することを特徴とする排水リサイクルシステムを提供する。【解決手段】飲料に適合した安定した水質を提供するために、ＭＢＲ（膜分離活性汚泥法）による一次処理後、ＲＯ（逆浸透膜）による二次処理を行うことを特徴とする。膜分離活性汚泥法により、安定した清澄な処理水が得られることで、二次処理の負荷を低減し、ＲＯ（逆浸透膜）の寿命を延ばすことが可能である。よって、食品工場製造工程排水リサイクルシステムにより、飲料に適合した水質としてリサイクルするため、上水道の節約、下水道の節減、ＣＯ２の削減の効果がある。【選択図】図２
0003149019.tif 000002
【実用新案登録請求の範囲】
【請求項１】
食品工場における排水をＭＢＲ（膜分離活性汚泥法）により一次処理をし、一次処理後ＲＯ（逆浸透膜）による二次処理を行うことで飲料に適合した安定した水質（水道法水質基準全５１項目をクリア）を提供することを特徴とした排水リサイクルシステム。
【考案の詳細な説明】
【技術分野】
【０００１】  本考案は、食品工場製造工程排水を高度処理することにより、水をリサイクルするシステムに関する。
【背景技術】
【０００２】  従来の技術は、排水処理後の処理水を中水として、トイレ洗浄水、散水、景潅水等に使用先が限定されていた（図１）。
【考案の開示】
【考案が解決しようとする課題】
【０００３】  しかし、本考案は、排水を高度処理し飲料に適合した安定した水質を提供することにより、食品工場内で広範囲な使用を可能とし、リサイクル率を上げることが可能である。
【課題を解決するための手段】
【０００４】  そこで、飲料に適合した安定した水質を提供するために、ＭＢＲ（膜分離活性汚泥法）による一次処理後、ＲＯ（逆浸透膜）による二次処理を行うことを特徴とした排水リサイクルシステムを考案した（図２）。【０００５】  膜分離活性汚泥法により、従来の沈降分離方式と比較して曝気槽容積が、１／３となる。【０００６】  膜分離活性汚泥法において、安定した清澄な処理水が得られることにより二次処理の負荷を低減することが可能である。【０００７】  二次処理に逆浸透膜を使用することで、飲料に適合した水を供給することが可能である。【０００８】  二次処理に逆浸透膜を使用することで、濃縮を防止することが可能である。
【考案の効果】
【０００９】  よって、本考案の食品工場製造工程排水リサイクルシステムにより、飲料に適合した水質としてリサイクルするため、上水道の節約、下水道の節減、ＣＯ２の削減の効果がある。
【考案を実施するための最良の形態】
【００１０】  膜分離活性汚泥法により、一次処理を行う。固液分離を従来の沈降分離方式ではなくＭＦ膜（精密ろ過膜）を使用することにより、ＳＳ（浮遊物）、大腸菌のない処理水を得ることが可能である。【００１１】  従来の沈降分離方式と比較して、容積負荷を３倍にすることが可能となり、省スペース化を図ることが可能である。【００１２】  膜分離活性汚泥法により、安定した清澄な処理水が得られることで、二次処理の負荷を低減し、ＲＯ（逆浸透膜）の寿命を延ばすことが可能である。【００１３】  一次処理水を濁度計にて連続監視を行い、異常時は直ちに下水放流に切換えるシステムである。【００１４】  ＲＯ（逆浸透膜）による二次処理水は、連続蒸発残留物の監視を行う。【００１５】  二次処理水には、次亜塩素酸を連続注入し、残留塩素濃度０．４ｐｐｍ以上となるシステムである。
【図面の簡単な説明】
【００１６】
【図１】  従来の排水処理システムである。
【図２】  本考案に係る食品工場製造工程排水リサイクルシステムである。
【図１】
0003149019.tif 000003
【図２】
0003149019.tif 000004
【手続補正書】
【提出日】平成20年12月11日(2008.12.11)
【手続補正１】
【補正対象書類名】実用新案登録請求の範囲
【補正対象項目名】全文
【補正方法】変更
【補正の内容】
【実用新案登録請求の範囲】
【請求項１】
食品工場の排水を飲料に適合した水質にするリサイクル装置において、浮遊物、大腸菌のない安定した処理水が得られ、二次処理の負荷を低減することが可能なことを特徴とするＭＢＲという膜分離活性汚泥装置と二次処理として多価イオンや色素成分等の分子レベルの有害物質を阻止し、濃縮を防止することが可能であり、水道法水質基準全５１項目に適合した処理水を得ることが可能なことを特徴とするＲＯという逆浸透膜装置を有する食品工場製造工程排水リサイクルシステム。
(57)【要約】      （修正有）【課題】ティの破損と紛失を防ぎ同時にマーカーも紛失しないように携帯に便利でファッション性が高く着脱が容易な保持具と紛失防止器具を兼ね備えた器具を提供する。【解決手段】ティの破損紛失とマーカーの紛失を防ぐため両サイドから取り外しのできるストラップ状でファッション性の高い紛失防止器具である。１はゴルフティに着脱可能な装着具で、２はティとマーカーを繋ぐストラップ部、３はティとストラップ部を繋ぐ着脱可能な金具。４はマーカーとストラップ部を繋ぐ金具で、５は取り外し可能なマーカー部、６はマーカーを装着でき、７のマーカー土台部分に装着可能な両面磁着できる器具である。【選択図】図１
0003149012.tif 000002
【実用新案登録請求の範囲】
【請求項１】
ゴルフティとマーカーとが容易に取り外しでき個別にも使用できるストラップ形状のマーカーとティの紛失防止器具
【考案の詳細な説明】
【技術分野】
【０００１】本考案はゴルフティとマーカーをファッション性が高く取り外し可能な保持具で繋ぐことによりゴルフプレイ時のティとマーカーの紛失防止と個別に使用できる利便性を備えた製品を提供する
【背景技術】
【０００２】従来ではティとマーカーを着脱可能で紛失防止になる器具がない
【考案の開示】
【考案が解決しようとする課題】
【０００３】使用者の利便性とティやマーカーの紛失を同時に防ぎファッション性に優れたものを提供する
【課題を解決するための手段】
【０００４】ティとマーカーを取り外し可能で見た目にもファッション性の高い素材で繋ぐこと
【考案の効果】
【０００５】  ティの紛失を防ぐためプレイの進行を早めることができる
取り外し可能なためデザインの違う他種類のものとも簡単に取り換えできプレイヤーにとって非常に多機能に使用できる便利でファッション性の高い紛失防止器具となる
【考案を実施するための最良の形態】
【０００６】ゴルフティとマーカーを繋ぐファッション性の高い素材の取り外し可能なストラップ状のものを提供する
【実施例】
【０００７】以下、添付図面によって説明する
１はゴルフティに着脱可能な装着具で、２はティとマーカーを繋ぐストラップ部  ３はティとストラップ部を繋ぐ着脱可能な金具  ４はマーカーとストラップ部を繋ぐ金具  ５は取り外し可能なマーカー部  ６はマーカーを装着でき  ７のマーカー土台部分に装着可能な両面磁着できる器具である
【産業上の利用可能性】
【０００８】ゴルフプレイ時においてゴルフティとマーカーの紛失防止具として提供できる
【図面の簡単な説明】
【０００９】
【図１】着脱可能なティ紛失防止器具とマーカーを装着した場合の平面図
【図２】着脱可能なティ紛失防止器具とマーカーを取り外した場合の断面図
【符号の説明】
【００１０】１  ティに着脱可能な装着具
２  ティとマーカーを繋ぐ鎖状または装飾性のあるストラップ部
３  ティとストラップ部を繋ぐ着脱可能な金具
４  マーカーとストラップ部を繋ぐ着脱可能な金具
５  取り外し可能なマーカー部
６  マーカーとマーカー土台部を繋ぐ両面磁着できる器具
７  マーカーを装着できる土台部
【図１】
0003149012.tif 000003
【図２】
0003149012.tif 000004
【手続補正書】
【提出日】平成20年11月14日(2008.11.14)
【手続補正１】
【補正対象書類名】実用新案登録請求の範囲
【補正対象項目名】全文
【補正方法】変更
【補正の内容】
【実用新案登録請求の範囲】
【請求項１】
ゴルフティに装着させる円筒状リング型の着脱可能な装着具とマーカー保持具を鎖状又は装飾性のある紐状のストラップ部で繋ぐよう構成されているゴルフティ紛失防止器具
【請求項２】
ゴルフティに着脱可能な装着具とマーカー保持具を繋ぐ鎖状または装飾性のあるストラップ部は両端に容易に着脱可能な金具で構成されている請求項1記載のストラップ
【請求項３】
マーカー保持具は上部、中部、下部の三部品で構成されており、着脱可能なマーカー上部とストラップに装着具で接合された磁石内蔵の中部、服、帽子のつば部、ベルト等に容易に着脱できる差込具を具備している下部土台部で構成され、三部品は磁石で接合され容易に着脱できる構造とした請求項1記載のマーカー保持具
【手続補正２】
【補正対象書類名】明細書
【補正対象項目名】０００７
【補正方法】変更
【補正の内容】
【０００７】
以下、添付図面によって説明する。
１はゴルフティに着脱可能な装着具で、２は装着具１とマーカー保持具を接合する鎖状または装飾性のあるストラップ部、３は装着具とストラップ部を接合する着脱可能な金具、４はマーカー保持具中部とストラップ部を接合する着脱可能な金具、５は着脱可能なマーカー保持具の上部、６はストラップ部２に具備された着脱可能な金具４と接合された磁石内蔵のマーカー保持具中部、７はマーカー保持具の下部土台部で服、ベルト等に容易に着脱できる装着器具で構成されている。
マーカー保持具は、常時は着脱可能なマーカー保持具の上部５、ストラップ部２に具備された着脱可能な金具４と接合された磁石内蔵のマーカー保持具中部６、マーカー保持具の下部土台部７を相互に磁石で接合された状態で構成している。
１の装着具はゴム等の弾性体材料で作られるが、プラスティック製、樹脂製、ナイロン製、金属製などで構成してもよい
【手続補正書】
【提出日】平成21年1月14日(2009.1.14)
【手続補正１】
【補正対象書類名】実用新案登録請求の範囲
【補正対象項目名】全文
【補正方法】変更
【補正の内容】
【実用新案登録請求の範囲】
【請求項１】
ゴルフティに装着させる円筒状リング型の着脱可能な装着具とマーカー保持具を鎖状又は装飾性のある紐状のストラップ部で繋ぐよう構成されているゴルフティ紛失防止器具
【請求項２】
ゴルフティに着脱可能な装着具とマーカー保持具を繋ぐ鎖状または装飾性のあるストラップ部は両端に金具を有し、この金具は装着具やマーカー保持具と容易に着脱可能となっている請求項1記載のゴルフティ紛失防止器具
【請求項３】
マーカー保持具は上部、中部、下部の三部品で構成されており、着脱可能なマーカー上部とストラップに装着具で接合された磁石内蔵の中部、服、帽子のつば部、ベルト等に容易に着脱できる差込具を具備している下部土台部で構成され、三部品は磁石で接合され容易に着脱できる構造とした請求項１記載のゴルフティ紛失防止器具
(57)【要約】      （修正有）【課題】ペットである犬のヘアーカットを実施する際、高度な技術を要する星型やハート型の図案のカットデザインを多くの技術者が、簡単に且つ正確にカットするための枠型を提供する。【解決手段】どんな犬の身体にも図案された枠型が崩れないような塩ビを素材とした枠型１を使用することで、枠型１に穴２をあけることにより収縮性のゴム紐３を通し、犬の身体に安全に容易に固定し、簡単に且つ正確な図案を多くの技術者が、短時間で実施することが可能となり犬の負担を軽減するのに役立つ。【選択図】図１
0003149007.tif 000002
【実用新案登録請求の範囲】
【請求項１】
犬のヘアーカットを施行するときにデザインパーツを決める為の塩ビ性の図案の枠型。
【請求項２】
請求項１記載の枠を身体に固定させるため前項の枠型にゴムを通す為の穴を開けた枠型。
【考案の詳細な説明】
【技術分野】
【０００１】  本考案は、ペットである犬のヘアーカットを施行するさい、星型やハート型の図案をカットデザインするのを簡単に且つ正確にカットするための枠型に関するものである。
【背景技術】
【０００２】  犬のヘアーカットを施行するさい、星型やハート型をデザインしたヘアーカットはトリマーの技術能力の高いものしか出来ない。【０００３】  犬のヘアーカットを施行するさい、数多く星型やハート型をデザインしたヘアーカットを行う場合図案の大きさが定まらない。【０００４】  犬のヘアーカットを施行するさい、星型やハート型をデザインしたヘアーカットを犬の身体の左右に施行しようとした場合、左右対称にならない。【０００５】  犬のヘアーカットを施行するさい、星型やハート型の図案を紙や厚紙で簡易的に作っても犬の身体に図案の型を崩さず固定することができない。【０００６】  犬のヘアーカットを施行するさい、星型やハート型の図案を紙や厚紙で簡易的に作っても犬の動きによりすぐに破損してしまい、型を移す事が出来ない。【０００７】  星型やハート型をデザインしたヘアーカットは、高度な技術を必要とし且つ施行時間もかかるので、犬への負担もかかる。
【考案の開示】
【考案が解決しようとしている課題】
【０００８】    犬のヘアーカットを施行するにあたり、高度な技術を必要とするハート型や星型を作ることは限られた技術者しかできない。最近はペットの個性化がすすみ、人気の犬種プードルにハート型や星型をデザインしたカット（デザインカットと呼ばれる）を依頼してくるニーズが多くなっている。また、図案の大きさやバランス、左右対称などが同じにならないなど大変な時間と技術の難しさがある。また、紙や厚紙などで図案を作ったとしても犬の動きによって、すぐに破損してしまうことや犬の身体に固定ができなく図案を移すことが出来ない。従って図案化された枠型を犬の身体に固定することができ、耐久性も強く、多くの技術者が、簡単に且つ正確なハート型や星型をカットすることが可能となり、施行時間も短縮されることにより前述の欠点を解決しようとするものである。
【課題を解決するための手段】
【０００９】  本考案は、どんな犬の身体にも図案された枠型が崩れないような塩ビを素材とした枠型を使用することで、耐久性と枠型崩れを防ぎ、塩ビ性の枠型に穴をあけることにより収縮性のゴム紐を使い犬の身体に安全に容易に固定することができる。
また、固定されているので簡単に且つ正確なハート型や星型の図案を多くの技術者が、犬のヘアーカットに施行することが可能となることにより、問題点を解決している。
【考案の効果】
【０００１０】  上述の様に、本考案のＷＡＮぱた〜んは、犬のデザインカットが簡単に且つ正確に多くの技術者が施行できることにより、多くのニーズに答える事が出来、なによりカットの施行時間が短縮されることにより犬にかかる負担を軽減することに役立つ。
【考案を実施するための最良の形態】
【００１１】  枠型の中から、犬の身体の大きさにあった枠型を選び、枠型にあいている穴に附属のゴム紐を必要な本数通す。枠型を当て枠型からでているゴム紐を犬の腹のしたで結わ苦き枠型を固定する。
多くあいている穴は、犬の固有の身体に合わせてゴム紐の本数を選ぶことができ、収縮性のあるゴム紐を使うことにより犬の動きによっても枠型の変形の防止及び固定がしっかりできる。
固定した枠型の下に埋もれている犬の毛を掻き出し、枠型に沿って鋏ではみ出した毛をカットして図案を写す。枠型を外して図案の型を鋏で整える。
【実施例】
【００１２】  以下、添付図面に従って一実施例を説明する。１は塩ビを素材としたハート型の枠型、２は固定するためのゴム紐を通す穴、１の枠型にあいた２の穴に３の固定用のゴム紐を必要な本数を通し、犬の身体に１の枠型を当て３のゴム紐を犬の腹の下で結び固定する。固定した１の枠型の下に埋もれている犬の毛を掻き出し、１の枠型に沿って鋏ではみ出した毛をカットして図案を写す。１の枠型を外して図案の型を鋏で整える。
【図面の簡単な説明】
【００１３】
【図１】本考案の犬のヘアーカットの枠型の実施例を示す正図面
【符号の説明】
【００１４】１  図案の枠型
２  ゴム紐を通す穴
３  固定するゴム紐
【図１】
0003149007.tif 000003
【手続補正書】
【提出日】平成20年11月10日(2008.11.10)
【手続補正１】
【補正対象書類名】実用新案登録請求の範囲
【補正対象項目名】全文
【補正方法】変更
【補正の内容】
【実用新案登録請求の範囲】
【請求項１】
犬のヘアーカットを施行するときに星型やハート型のデザインパーツを決める為の塩ビ製で作った星型やハート型の図案の枠型。
【請求項２】
請求項１記載の枠を身体に固定させるため前項の枠型にゴムを通す為の穴を開けた枠型。
(57)【要約】      （修正有）【課題】横なぐりの雨でも足袋が濡れず、又、白足袋が外から見えるので法衣・神官衣・和装に合い、運転義務違反にならず安心して運転できるブーツ型雨草履を提供する。【解決手段】草履とブーツを合体し、透明ビニールブーツの中の天面畳表柄に白い鼻緒をつければよい。少しの雨でも、横なぐりの雨でも足袋が濡れない。この透明ビニールのブーツ型雨草履により、外から白足袋が見えるので僧侶衣・神官衣・和装にマッチし、運転時急ブレーキを踏んでも脱げないので安全運転義務違反にならず、履き替えの煩わしさもない。透明ビニールなので浴衣着の時など、つま先のファション性も高い。【選択図】図１
0003149009.tif 000002
【実用新案登録請求の範囲】
【請求項１】
靴底（２）がエーテルウレタン底・皮革底・ゴム底・コルク底。内側天面（ビニール畳表）（４）に白い鼻緒（６）を付けた透明ビニール（５）のブーツ型雨草履（１）。
【考案の詳細な説明】
【技術分野】
【０００１】  本考案は、ブーツの中底に草履の鼻緒を付けた透明ビニールブーツ型草履に関する。
【背景技術】
【０００２】  従来の僧侶・神官・和装時の雨草履は、前部の先にビニールカバー付き草履である。
類似形としてゾウリ・ゲタ・サンダル・短靴などの履物に付けて雨降りにもはける長靴状のビニール等の合成防水ヌノで、はきものとズボンの裾をビニール等合成防水ヌノで包み込む簡易長靴。靴を合成樹脂フイルムで下から全部包み込むカバー状の雨靴である。
【実用新案文献１】
公開実用新案（Ｕ）  昭６３−７５２０４
【実用新案文献２】
公開実用新案（Ｕ）  平３−８５９０８
【考案が解決しようとする課題】
【０００３】  雨の日に前部の先にビニール付き雨草履は、ビニールカバーがつま先にしか付いておらず、雨量の多いときに足袋が濡れるので何回も足袋の履き替えを要する。又、安全運転義務違反なので運転時靴に履き替える煩わしさがあった。
履物に長靴状のビニール等合成防水のヌノで長靴のようにハネや滴を防御する履物などの簡易長靴。これは、急な雨にズボンが濡れないよう機能性を考えたものであって泥やハネを防ぐもので長靴の代用品であり、法衣・神官衣・和装には不具合である。
女性用に靴をビニールによって包み込む雨靴。雨の時だけ靴の濡れを防ぐカバーであって履物そのものではない。又、靴は見えるがその中の足袋とか指先が見えず、法衣・神官衣・和装には似合わない。
【課題を解決する手段】
【０００４】  そこで、本考案は、その欠点をなくすために考案されたもので、それを図面について説明すれば、本体（１）が透明ビニールのブーツ型で足そのものがブーツの中にあり、大雨・横なぐりの雨でも足袋が濡れない。又、白足袋が外から見えるので法衣・神官衣・和装にピッタリ、運転義務違反にならず安心して運転できる透明ビニールのブーツ型雨草履だ。
【考案の効果】
【０００５】  本考案によりどんな雨でも足下を濡らさない。又、白足袋が見え僧侶衣・神官衣・和装によく似合い、つま先が見えるのでファション感覚も見栄えがする。又、安全運転義務違反も解消した。
【考案を実施するための最良の形態】
【０００６】本案件に係る雨草履本体（１）はエーテルウレタン底（２）とエーテルウレタン底とビニール畳の間（３）に透明ビニール（５）を挟み糊で貼り付け、そのビニール畳表天面（４）に白い鼻緒（６）を付ける。履き口（７）を履きやすく少し広い目に又、着物の裾に触れないように短めにする。浴衣やファションによって草履の天面や鼻緒はカラフルでもよい。底の材質は、木製・コルク・ゴム・皮革でもよい。
【図面の簡単な説明】
【０００７】
【図１】斜視図（本案件の簡単な図である。）
【図２】平面図（本案件の簡単な図である。）
【図３】側面図（本案件の簡単な図である。）
【図４】低面図（本案件の簡単な図である。）
【図５】断面図（本案件の簡単な図である。）
【図６】従来の雨草履
【図７】簡易長靴
【図８】雨靴
【符号の説明】
【０００８】１ブーツ本体
２エーテルウレタン底
３エーテルウレタン底とビニール畳表の間
４ビニール畳表
５透明ビニール
６鼻緒
７履き口
８かかと
【図１】
0003149009.tif 000003
【図２】
0003149009.tif 000004
【図３】
0003149009.tif 000005
【図４】
0003149009.tif 000006
【図５】
0003149009.tif 000007
【図６】
0003149009.tif 000008
【図７】
0003149009.tif 000009
【図８】
0003149009.tif 000010
【手続補正書】
【提出日】平成20年10月8日(2008.10.8)
【手続補正１】
【補正対象書類名】実用新案登録請求の範囲
【補正対象項目名】全文
【補正方法】変更
【補正の内容】
【実用新案登録請求の範囲】
【請求項１】
靴底（２）がエーテルウレタン底・皮革底・ゴム底・コルク底、ビニール畳表（４）に白い鼻緒（６）を付けた透明ビニール（５）のブーツ型雨草履（１）。
【手続補正書】
【提出日】平成20年12月4日(2008.12.4)
【手続補正１】
【補正対象書類名】実用新案登録請求の範囲
【補正対象項目名】全文
【補正方法】変更
【補正の内容】
【実用新案登録請求の範囲】
【請求項１】
靴底がエーテルウレタン底・皮革底・ゴム底・コルク底のいずれかで形成されており、ビニール畳表に白い鼻緒を付けた透明ビニールのブーツ型雨草履。
(57)【要約】      （修正有）【課題】切断後のアース棒の先端部分にリード線を接続出来るリード端子を提供する。【解決手段】半筒状の銅メッキ製の部材と電線を組み合わせ、打ち込み途中の切断したアース棒上部より打ち込みし、切断したアース棒に接続できることを特徴とするリード端子である。これにより、地中障害物などにより使用不可能になっていたアース棒をリード付アース棒として使用することができる。【選択図】図１
0003149002.tif 000002
【実用新案登録請求の範囲】
【請求項１】
切断時のアース棒に接続出来るリード端子
【考案の詳細な説明】
【技術分野】
【０００１】  この考案は、アース棒打ち込み時に何らかの地中障害物などがあり打ち込み困難となったアース棒を切断し、切断部分に取り付けの出来るリード端子である。
【背景技術】
【０００２】  従来はアース棒の先端に接続するリード端子は存在したが切断部分などで接続できるリード端子はなかった。
【考案の開示】
【考案が解決しようとする課題】
【０００３】  工事中に地中障害物などで打ち込み困難となったアース棒は引き抜くこともリード線を接続することも出来ず、最終的にはアース棒を切断し地中に放置する状態がほとんどだった。従来のアース棒用のリード端子は、アース棒の先端部分にしか接続できなかった。
【課題を解決するための手段】
【０００４】  地中障害物などで打ち込み不可能となったアース棒を切断しリード端子（中間リード端子）を接続する。
【考案の効果】
【０００５】  切断したアース棒の先に、中間リード端子を接続することにより使用できなかったアース棒がリード付アース棒として使用できる。
アース棒が無駄にならず経済的で作業時間も大幅に短縮できる。
【図面の簡単な説明】
【０００６】
【図１】  本考案の側面図
【図２】  本考案の平面図
【符号の説明】
【０００７】  １は中間リード端子のリード線
２は中間リード端子
３は切断したアース棒
【図１】
0003149002.tif 000003
【図２】
0003149002.tif 000004
【手続補正書】
【提出日】平成20年8月8日(2008.8.8)
【手続補正１】
【補正対象書類名】実用新案登録請求の範囲
【補正対象項目名】全文
【補正方法】変更
【補正の内容】
【実用新案登録請求の範囲】
【請求項１】
半筒状の銅メッキ製の部材と電線を組み合わせる。
打ち込み途中の切断したアース棒上部より打ち込みし接続する
よって切断したアース棒がアースとして使用出来るようになる。
【手続補正書】
【提出日】平成20年12月1日(2008.12.1)
【手続補正１】
【補正対象書類名】実用新案登録請求の範囲
【補正対象項目名】全文
【補正方法】変更
【補正の内容】
【実用新案登録請求の範囲】
【請求項１】
半筒状の銅メッキ製の部材と電線を組み合わせ、打ち込み途中の切断したアース棒上部より打ち込みし切断したアース棒に接続できるリード端子。
(57)【要約】      （修正有）【課題】肌に直接着用した小物の素材に含まれた水分の気化熱を利用し、暑い屋外や室内において、涼感を得られるようにした涼感小物を提供する。【解決手段】ＰＶＡスポンジ（または同一の高吸水機能を持つ素材）を使用した高吸収布をバンダナ、リストバンド、ネッカチーフ、帽子のインナー等の形に加工する。ＰＶＡスポンジを使った布は、多量の水分を保持する繊維が直接肌面に接し、また全体が吸水体であり、着用した肌面全体で気化熱により多くの涼感を得られる。また、水分をしっかりと吸湿しているので、衣類等の内側に着用しても衣類が湿りにくい。【選択図】図１
0003149010.tif 000002
【実用新案登録請求の範囲】
【請求項１】
ポリビニルアルコール製のＰＶＡスポンジ（または同一の高吸水機能を持つ素材）を使用した高吸水布を利用した、涼感小物（リストバンド、バンダナ、ネッカチーフ、帽子のインナーや付属物）
【考案の詳細な説明】
【技術分野】
【０００１】本考案はＰＶＡスポンジ製高吸水布（または同一の高吸水機能を持つ素材）を利用した涼感小物である。
【背景技術】
【０００２】ポリビニルアルコールを原料とするＰＶＡスポンジを素材に利用した高吸水布は水泳用タオルとして販売されているが、上記素材の吸水性と保湿性を利用し、気化熱を使った涼感小物を作成する。
【考案が解決しようとする課題】
【０００３】肌に直接着用した小物の素材に含まれた水分の気化熱を利用し、暑い屋外や室内において、涼感を得られるようにする。
現在高分子ポリマーや高吸水繊維等を布で包み込んだ涼感小物はあるが、吸水体が一部分だけであり、吸水体が直接肌に触れていない、包んでいる布が濡れているので着衣も濡れてしまう等の問題がある。
【課題を解決するための手段】
【０００４】ＰＶＡスポンジ（または同一の高吸水機能を持つ素材）を使用した高吸収布をバンダナ、リストバンド、ネッカチーフ、帽子のインナー等の形に加工する。
【考案の効果】
【０００５】ＰＶＡスポンジを使った布は、多量の水分を保持する繊維が直接肌面に接し、また全体が吸水体であり、着用した肌面全体で気化熱により多くの涼感を得られる。
また、水分をしっかりと吸湿しているので、衣類等の内側に着用しても衣類が湿りにくい。
【考案を実施するための最良の形態】
【０００６】利用者、利用物の肌面や頭部に接する形状であれば様々に応用できる。
【実施例】
【０００７】三角形のバンダナやネッカチーフ状、細長い帯状にカットして、リストバンドやネックバンド、四角いハンカチ状で帽子のインナー等。
【図面の簡単な説明】
【０００８】
【図１】首に巻く形状  三角形
【図２】首に巻く形状  長い帯状
【図３】リストバンド  帯状
【図４】リストバンド  輪型
【図５】ハンカチ状    帽子下用
【図６】ドーム状      帽子下用
【図１】
0003149010.tif 000003
【図２】
0003149010.tif 000004
【図３】
0003149010.tif 000005
【図４】
0003149010.tif 000006
【図５】
0003149010.tif 000007
【図６】
0003149010.tif 000008
【手続補正書】
【提出日】平成20年11月17日(2008.11.17)
【手続補正１】
【補正対象書類名】実用新案登録請求の範囲
【補正対象項目名】全文
【補正方法】変更
【補正の内容】
【実用新案登録請求の範囲】
【請求項１】
ポリビニルアルコール製のＰＶＡスポンジを使用した高吸水布を利用した涼感小物
【手続補正３】
【補正対象書類名】明細書
【補正対象項目名】０００３
【補正方法】変更
【補正の内容】
【０００３】ＰＶＡスポンジを使用した高吸収布をバンダナ、リストバンド、ネッカチーフ、帽子のインナー等の形に加工する。
(57)【要約】      （修正有）【課題】組立及び分解を簡単に行うことができ、骨組みで袋状カバーが傷つくこともない組立式衣類等収納家具を提供する。【解決手段】組立式衣類等収納家具の組立・分解が簡単に行えるように枠と直管で組み立てられた骨組み１を袋状カバー５で覆うものの形状を、袋状カバー５で骨組み１を上部から覆い、袋状カバー５の下部周囲と底板３を付けた骨組み１の下部枠２周囲を面ファスナー４で留めるものとしたことを特徴とする。【選択図】図１
0003149059.tif 000002
【実用新案登録請求の範囲】
【請求項１】
プラスチック製又は軽量な金属製の枠と直管で組み立てられた骨組みをビニールなどの軟質な素材の袋状カバーで覆う衣類等収納家具の袋状カバーと骨組み下部枠の形状を、袋状カバーに衣類等出し入れのために付けられたファスナーを開いて上部から骨組みを覆い、袋状カバーの下部周囲と底板を付けた骨組み下部枠周囲を面ファスナーで留めて密閉できるものにしたところを特徴とする組立式衣類等収納家具。
【考案の詳細な説明】
【技術分野】
【０００１】本考案は、組立及び分解が簡単に行えるように骨組みをビニールなどの軟質な素材の袋状カバーで上部から覆い、袋状カバーの下部周囲と底版を付けた骨組み下部枠周囲を面ファスナーで留めて密閉できるようにした組立式衣類等収納家具に関するものである。
【背景技術】
【０００２】従来は、プラスチック製又は軽量な金属性の枠と直管で組み立てられた骨組みをビニールなどの軟質な素材の袋状カバーで覆う組立式衣類等収納家具は、外面を全て袋状カバーで覆うものであった。これを組み立てる場合には、骨組み上部と下部を別々に組み立て、袋状カバーに衣類等出し入れのために付けられたファスナーを開き袋状カバー下部に開けられた穴に骨組み下部の直管を通して骨組み上部を接合し、袋状カバーを上部にずらして骨組み上部を覆ってから袋状カバーを骨組み下部に押し下げるものであった。
【考案の開示】
【考案が解決しようとする課題】
【０００３】従来の、組立式衣類等収納家具の袋状カバーの形状は、外面を全て袋状カバーで覆うもので、これを組み立てる場合には、骨組み上部と下部を別々に組み立て、袋状カバーに衣類等出し入れのために付けられたファスナーを開き袋状カバー下部に開けられた穴に骨組み下部の直管を通して骨組み上部を接合し、袋状カバーを上部にずらして骨組み上部を覆ってから袋状カバーを骨組み下部に押し下げなければならない。この場合には、骨組みの組み立て作業と袋状カバーの取り付け作業をそれぞれの作業途中に交互に行うこととなり、作業工程が複雑であるという難点がある。また、袋状カバー下部に開けられた穴に骨組み下部の直管を通す場合や骨組みを袋状カバーで覆うため袋状カバーを上部にずらしたり下部に押し下げたりする場合に、骨組みで袋状カバーを傷つけたりしないように余分な注意を要するという難点がある。本考案は、この難点を解決しようとするものである。
【課題を解決するための手段】
【０００４】本考案は、プラスチック製又は軽量な金属製の枠と直管で組み立てられた骨組みをビニールなどの軟質な素材の袋状カバーで覆う組立式衣類等収納家具の組立及び分解が簡単に行えるように、袋状カバーと下部枠の形状を、袋状カバーに衣類等出し入れのために付けられたファスナーを開いて上部から骨組みを覆い、袋状カバーの下部周囲と底板を付けた骨組み下部枠周囲を面ファスナーで留め、密閉できるものにすることにより課題を解決するものである。
【考案の効果】
【０００５】本考案により、骨組みの組み立て作業終了後に袋状カバーの取り付け作業を行うことで組立作業が終了することとなり作業工程が複雑となる難点が解決された。また、本考案の袋状カバーの取り付け作業は上部から骨組みを覆い袋状カバー下部周囲と底板の付いた下部枠を面ファスナーで接合するものであるため、袋状カバー下部に開けられた穴に骨組み下部の直管を通す場合や骨組みを袋状カバーで覆うため袋状カバーを上部にずらしたり下部に押し下げたりすることで骨組みで袋状カバーを傷つけないように余分な注意を要するという難点が解決された。
【考案を実施するための最良の形態】
【０００６】プラスチック製又は軽量な金属製の枠と直管で組み立てられた骨組みをビニールなどの軟質な素材の袋状カバーで覆うものの袋状カバーと下部枠の形状を、袋状カバーに衣類等出し入れのために付けられたファスナーを開いて骨組みを上部から覆い、袋状カバーの下部周囲と骨組み下部枠周囲を面ファスナーで留め、下部枠に付けた底板とで密閉できるものにする。
【実施例】
【０００７】組立式衣類等収納家具は、プラスチック製又は軽量な金属製の枠と直管で組み立てられた骨組１をビニールなどの軟質な素材の袋状カバー５のファスナー６及び７を開いて上部から覆い、骨組１の底板３を付けた下部枠２と袋状カバー５を骨組１の下部枠２下部周囲と袋状カバー５の下部周囲を面ファスナー４で留める。
【図面の簡単な説明】
【０００８】
【図１】考案した骨組みと袋状カバーの斜視図である。
【図２】組立式衣料等収納家具の断面図である。
【符号の説明】
【０００９】１  骨組み
２  下部枠
３  底板
４  面ファスナー
５  袋状カバー
６  上方向から開くファスナー
７  左方向から開くファスナー
【図１】
0003149059.tif 000003
【図２】
0003149059.tif 000004
(57)【要約】      （修正有）【課題】袋の内側にスポンジを付ける事で手を汚さずにパーマ液を髪に付ける事ができ、しかも部分パーマなど少量での対応にも適したスポンジ付パーマ液袋を提供する。【解決手段】密閉された袋を開封すると袋２の本体内側にパーマ液の染込んだスポンジ１が張り付いていて、袋の外側の端には指の入るポケット３がついている。袋を開いて内側についているパーマ液の染込んだスポンジをパーマをかけたい部分に塗るという簡易的な作業になるので、手袋をする手間もなく手も汚さずパーマ液を髪に付ける事ができる。さらに少量パックにすることで無駄が出ない。【選択図】図１
0003149054.tif 000002
【実用新案登録請求の範囲】
【請求項１】
開封すると内側にスポンジがついている少量パーマ液袋
【請求項２】
開封すると内側にスポンジがついている少量染毛料袋
【考案の詳細な説明】
【技術分野】
【０００１】  この考案は密閉された袋を開封すると内側にパーマ液の染込んだスポンジがついていて、それによって手を汚さずにパーマ液を髪に付ける事ができ、且つ少量での対応が出来るパーマ液袋に関するものである。
【背景技術】
【０００２】従来パーマ液はプラスチック容器に入っていて、容量もおよそ毛髪全体につけられる量の使いきりサイズであった。
【考案の開示】
【考案が解決しようとする課題】
【０００３】これは次のような問題があった。
髪に付ける時、液状で取り扱う為、垂れやすいので作業が難しく手袋の着用も必要であり、使用量においても部分パーマの場合など少量で足りる時も１本単位での使い切りの為、無駄があった。本考案は以上のような欠点をなくすためになされたものである。
【課題を解決するための手段】
【０００４】密閉された袋の内側にパーマ液の染込んだスポンジが張り付いていて開封するとそのスポンジが出てくる。外側の端には指の入るポケットがついている。
以上のごとく構成されたパーマ液袋。
【考案の効果】
【０００５】袋を開いて内側についているパーマ液の染込んだスポンジをパーマをかけたい部分に塗るという簡易的な作業になるので、手袋をする手間もなく手も汚さずパーマ液を髪に付ける事ができる。さらに少量パックにすることで無駄が出ない。外側についたポケットに指を入れる事で本体が手にフィットするのでパーマ液を髪に塗る作業も簡単で手軽に行える。
【考案を実施するための最良の形態】
【０００６】以下に本考案の実施例について説明する。
パーマ液等保存可能な素材で出来ている袋の内側にパーマ液を染込ませられるスポンジを袋の素材に固定する。そのスポンジに開封した時に垂れない量のパーマ液を染込ませておき、密閉包装する。本考案は以上のような構造で、これを使用するときには袋の端を持ち開封する。袋の外側についたポケットに手をいれる。パーマ液の染込んだスポンジをパーマをかけたい部分に軽く押し付けるか、髪をはさむようにして塗る。尚パーマ液でなくても染毛料でも良い。
【図面の簡単な説明】
【０００７】
【図１】考案の斜視図である（開封後）
【図２】開封前  斜視図
【図３】開封前  正面図
【図４】開封後  正面図
【図５】開封前  右側面図
【図６】開封後  右側面図
【図７】使用例図
【符号の説明】
【０００８】１、スポンジ
２、袋本体
３、ポケット
【図１】
0003149054.tif 000003
【図２】
0003149054.tif 000004
【図３】
0003149054.tif 000005
【図４】
0003149054.tif 000006
【図５】
0003149054.tif 000007
【図６】
0003149054.tif 000008
【図７】
0003149054.tif 000009
(57)【要約】      （修正有）【課題】ビリヤードテーブル上で新たなゲームができるゲーム用布を提供する。【解決手段】ビリヤードの新たなゲームとしてカーリングができるように、ビリヤードテーブル１の上面に、長方形の短辺の一方側部分中央に点とその点を中心とする円３及びもう一方の短辺側の中央部分に点４を描きいれたラシャ等の布２を貼り付けることにより課題を解決する。【選択図】図１
0003149058.tif 000002
【実用新案登録請求の範囲】
【請求項１】
長方形の短辺の一方側部分中央に点とその点を中心とする円及びもう一方の短辺側の中央部分に点を描きいれたところを特徴とするビリヤードテーブル上面に貼り付けるラシャ等の布。
【考案の詳細な説明】
【技術分野】
【０００１】本考案は、ビリヤードテーブル上で新たなゲームができるように、ビリヤードテーブル上面に張る付ける長方形の短辺の一方側部分中央に点とその点を中心とする円及びもう一方の短辺側中央部分に点を描きいれたラシャ等の布に関するものである。
【背景技術】
【０００２】従来は、ビリヤードテーブル上で行うゲームの多くは、手玉を撞いて的球に当て的球又はその他の玉をポケットに落とすことで進行するものであり、ゲームはプレーヤーがプレーを失敗した時に相手側プレーヤーにプレー権が移るもので、プレーを失敗しない限りプレー権は移らないものである。
【考案の開示】
【考案が解決しようとする課題】
【０００３】従来のビリヤードテーブル上で行うゲームの多くは、プレーを失敗しない限りプレー権が移らないものであることから、初級者と上級者が対戦した場合には、初級者は短時間でプレーを失敗してプレーを続けることができず、上級者はプレーを失敗することが少ないため長時間プレーを続けることになり、初級者はゲーム終了まで殆どプレーする時間を与えらないという難点がある。また、ゲームは玉をポケットに落とすことで進行するもので、これには高度な技術を要することから、初級者のみのゲームでは終了まで時間が長くなり過ぎゲームを続行する意欲を失ってしまうという難点がある。本考案は、この難点を解決しようとするものである。
【課題を解決するための手段】
【０００４】本考案は、ビリヤードテーブル上で行う新たなゲームとして、ビリヤード用具でカーリングができるように、長方形の短辺の一方側部分中央に点とその点を中心とする円及びもう一方側の短辺の中央部分に点を描きいれたラシャ等の布を、ビリヤードテーブル上面に貼り付けることにより課題を解決するものである。
【考案の効果】
【０００５】本考案による新たなゲームは、短辺の一方側の点上にプレーヤーごとに色分けした手玉のうちの１個を置き、その手玉を短辺のもう一方側の点とその点を中心とする円方向にプレーヤーがキューで交互に一定回数撞いて、カーリングの採点方法で得点を計算してゲームを行うものである。従来のビリヤードテーブル上で行うゲームの多くが、プレーを失敗しない限りプレー権が移らないもので、初級者と上級者のゲームでは初級者はゲーム終了まで殆どプレーする時間を与えらないという難点は、本考案による新たなゲームではプレーヤーが交互にプレーすることになり解決される。また、ゲームは手玉を撞いて的球に当て的球又はその他の玉をポケットに落とすことで進行するもので、高度な技術を要するため初級者のみのゲームではゲーム終了まで時間が長くゲーム続行の意欲を失ってしまうという難点は、本考案による新たなゲームではプレーヤーが交互に一定回数手玉を撞くことでゲームが進行することになり解決される。
【考案を実施するための最良の形態】
【０００６】長方形の短辺の一方側部分中央に点とその点を中心とする円及びもう一方の短辺側の中央部分に点を描きいれたラシャ等の布をビリヤードテーブル上面に貼り付ける。
【実施例】
【０００７】長方形の短辺の一方側部分中央に点とその点を中心とする円３及びもう一方の短辺側の中央部分に点４を描きいれたラシャ等の布２をビリヤードテーブル１上面に貼り付ける。
【図面の簡単な説明】
【０００８】
【図１】考案した新ゲーム用の布を上面に貼り付けたビリヤードテーブルの上面図である。
【符号の説明】
【０００９】１  ビリヤードテーブル
２  ラシャ等の布
３  短辺の一方部分側中央の点とその点を中心とする円
４  短辺の一方部分側中央の点
【図１】
0003149058.tif 000003
(57)【要約】      （修正有）【課題】２本の筆記具を簡単な動作で必要に応じて使い分けができる筆記具を提供する。【解決手段】２本の筆記具１を簡単な動作で必要に応じて使い分けができるように、それぞれの筆記具側面形状６の組み合わせでスライドするように接合し一体とすることで課題を解決する。キャップ式又はノック式の２本の筆記具を側面形状の凸型と凹型の形状の組み合わせでスライドするように接合して一体とし、必要に応じて使い分けができるように、筆記時に筆記具を掴んだ指でスライドさせることで、使用したい筆記具を押し出すことができるものである。【選択図】図１
0003149057.tif 000002
【実用新案登録請求の範囲】
【請求項１】
２本の筆記具を、それぞれの筆記具側面形状の組み合わせでスライドするように接合し一体としたところを特徴とするスライド式筆記具。
【考案の詳細な説明】
【技術分野】
【０００１】本考案は、２本の筆記具を簡単な動作で必要に応じて使い分けができるように、それぞれの筆記具側面形状の組み合わせでスライドするように接合し一体とした筆記具に関するものである。
【背景技術】
【０００２】従来は、２本の筆記具を必要に応じて使い分けができるように一体としたものは、１本の本体の中に２本の筆記具の塗料が入った芯を入れ上部の突起を押し下げて使用する芯先がでるようにしたものや本体の上部と下部の両方に芯先を付けて上下を入れ替えて使用するものであった。
【考案の開示】
【考案が解決しようとする課題】
【０００３】従来の２本の筆記具を必要に応じて使い分けができるように一体としたものは、２本のうち一方を使用している場合にもう一方を使用する時には、筆記具を使用するために掴んでいる指を放してもう一方を使える状態にするという動作を行なわなければならないという難点があった。本考案は、この難点を解決しようとするものである。
【課題を解決するための手段】
【０００４】本考案は、２本の筆記具を簡単な動作で必要に応じて使い分けができるように、それぞれの筆記具側面形状の組み合わせでスライドするように接合し一体とすることにより課題を解決するものである。
【考案の効果】
【０００５】本考案により、筆記具を使用するため掴んでいる指を放すことなく、接合した２本の筆記具をスライドさせることのみで、それぞれの筆記具を簡単な動作で瞬時に使い分けができることとなる。
【考案を実施するための最良の形態】
【０００６】キャップ式又はノック式の２本の筆記具を側面形状の凸型と凹型の形状の組み合わせでスライドするように接合して一体とし、必要に応じて使い分けができるように、筆記時に筆記具を掴んだ指でスライドさせることで、使用したい筆記具を押し出すことができるものとする。
【実施例】
【０００７】２本の筆記具１をそれぞれの筆記具側面形状６を凸型凹型の組み合わせでスライドするように接合し一体とする。
【図面の簡単な説明】
【０００８】
【図１】考案した筆記具（キャップ式の場合）の斜視図である。
【図２】考案した筆記具本体の断面図である。
【符号の説明】
【０００９】１  ２本の筆記具
２  塗料が入った芯
３  芯穴キャップ
４  芯先
５  芯先キャップ
６  筆記具側面形状
【図１】
0003149057.tif 000003
【図２】
0003149057.tif 000004